(57)【要約】      （修正有）【課題】安定させた頭部や頸椎にマイナスイオンを付与することにより、α波を優勢に出現することができる枕を提供する。【解決手段】布生地によって形成されたカバー２の内部には充填材３が充填され、中央部にくびれ部１ａを有する全体形状がやや扁平な略瓢箪形に構成された枕本体１と、マイナスイオンを発生する主成分がシリコン樹脂からなる略山形の弾性突起体４とを備え、弾性突起体４を頂部が外方を向くようにくびれ部１ａの表面に複数個配設する。【選択図】図２
0003148882.tif 000002
【実用新案登録請求の範囲】
【請求項１】
布生地によって形成されたカバーの内部には充填材が充填され、中央部にくびれ部を有する全体形状がやや扁平な略瓢箪形に構成された枕本体と、マイナスイオンを発生する主成分がシリコン樹脂からなる略山形の弾性突起体とを備え、上記弾性突起体を頂部が外方を向くように上記くびれ部の表面に複数個配設したことを特徴とする枕。
【請求項２】
弾性突起体は、略半球状の突起部と、底面側からラジアル方向に延出した鍔部とを有し、上記突起部には複数の溝や凹所が形成され、上記鍔部は縫製可能に形成されている請求項１に記載の枕。
【考案の詳細な説明】
【技術分野】
【０００１】
本発明は、頭部や頸椎又は腰を支える枕に関し、詳しくは、特にマイナスイオンを発生する略山形の弾性突起体を配設した枕に関する。
【背景技術】
【０００２】
枕は、睡眠時に頭部を支えるために必要なもので、安眠を得るために種々の工夫がなされている。安眠を得る条件としては、高さ、固さ、形状等が、自然な寝姿を維持でき、神経や血液の流れを妨げないこと、頭と枕との間にたまる熱や汗を発散して不快感を与えないこと、使用する人の好みに合っていて、安眠しやすい雰囲気をもっていること、などが考えられる。
【０００３】
枕の形状は、一般的には、長方形に形成された袋状の布の中に、種々の素材を充填したものが多い。袋状の布の中に充填する素材としては、真綿、パンヤ、羽毛、蕎麦殻、合成樹脂製のパイプを所定の長さに切ったもの、桧チップ、ウレタン等、種々のものが使用されており、部分的に硬さを変えることによって頭を自然に支持するようにしたものも提案されている。
【０００４】
また、さらに安眠し易くするために、実用新案登録第３１１９８４９号公報（特許文献１）に示すように、空気枕の頸部に対応する個所に突起部を設け、指圧作用によって疲労回復やリラックス効果を期待するもの、或いは、特表２００８−５１５５８７号公報（特許文献２）に示すように、枕本体の内部に、振動モーターに振動発生部と陰イオン発生部を設け、マッサージ効果と神経安定及び疲労回復効果を期待するものが提案されている。
【０００５】
上記特許文献に示された枕は、突起や振動によるマッサージ効果、或いは、陰イオンによるリラックス効果を期待できるものの、実際の使用感においては、特に、就寝時におけるリラックス状態を示すα波の出現が少なく、β波の出現が優位となっていることから、その効果を発揮することができないものであった。
【０００６】
【特許文献１】実用新案登録第３１１９８４９号公報
【特許文献２】特表２００８−５１５５８７号公報
【考案の開示】
【考案が解決しようとする課題】
【０００７】
本考案が解決しようとする課題は、安定させた頭部や頸椎にマイナスイオンを付与することにより、α波を優勢に出現させることができる枕を提供することにある。
【課題を解決するための手段】
【０００８】
そこで、本考案の請求項１に関わる枕は、布生地によって形成されたカバーの内部には充填材が充填され、中央部にくびれ部を有する全体形状がやや扁平な略瓢箪形に構成された枕本体と、マイナスイオンを発生する主成分がシリコン樹脂からなる略山形の弾性突起体とを備え、上記弾性突起体を頂部が外方を向くように上記くびれ部の表面に複数個配設したことを要旨としている。
【０００９】
また、請求項２に関わる枕は、請求項１の考案において、弾性突起体は、略半球状の突起部と、底面側からラジアル方向に延出した鍔部とを有し、上記突起部には複数の溝や凹所が形成され、上記鍔部は縫製可能に形成したことを要旨としている。
【考案の効果】
【００１０】
本考案によれば、枕本体が、中央部にくびれ部を有する全体形状がやや扁平な略瓢箪形に構成しているので、頭部や頸椎がくびれ部によって安定化され、リラックス状態を得ることが可能となる、さらに、安定した頭部や頸椎に対応位置するように、マイナスイオンを発生する略山形の弾性突起体を上記くびれ部に配設しているので、リラックス状態の中で頭部や頸椎にマイナスイオンを与えることができ、この結果、α波を優勢に出現させることが可能となる。この様なリラクセーション効果により、疲労回復効果を一層高めることが可能となる。
【００１１】
また、弾性突起体には鍔部が形成されているので、この鍔部を枕本体のくびれ部に縫製することにより、強固に固定することが可能であり、しかも、弾性突起体が人体表面から陥没した場合であっても、鍔部により陥没が抑制されるので、適度な押圧力で刺激することが可能となる。
【考案を実施するための最良の形態】
【００１２】
枕本体は、布生地によって形成されたカバーの内部には充填材が充填され、中央部にくびれ部を有する全体形状がやや扁平な略瓢箪形に構成された枕本体と、マイナスイオンを発生する主成分がシリコン樹脂からなる略山形の弾性突起体とを備え、上記弾性突起体を頂部が外方を向くように上記くびれ部の表面に複数個配設している。また、上記弾性突起体は、略半球状の突起部と、底面側からラジアル方向に延出した鍔部とを有し、上記突起部には複数の溝や凹所が形成され、上記鍔部は縫製可能に形成している。
【００１３】
以下、図面に基づいて本考案の実施例を詳細に説明する。図１は、本考案に関わる枕の実施例を示している。枕本体１は、木綿、絹、羊毛などの動植物繊維、或いは、ポリウレタン、ナイロン、テトロン等の合成繊維等の繊維からなる布生地からなるカバー２と、マイナスイオンを発生する主成分がシリコン樹脂からなる略山形の弾性突起体４を備えている。カバー２の内部には、図２に示すように、ウレタンフォームからなる充填材３が充填されている。この充填材３としては、低反発ウレタンフォームが好ましいが、その他に、一般に使用されている真綿、パンヤ、羽毛、蕎麦殻、合成樹脂製のパイプを所定の長さに切ったもの、桧チップ等を用いても良い。
【００１４】
枕本体１は、充填材３を充填することにより、全体形状がやや扁平な左右対称な略瓢箪形に構成され、中央部にくびれ部１ａが形成されている。そして、くびれ部１ａには、一方の上面にマイナスイオンを発生する主成分がシリコン樹脂からなる略山形の弾性突起体４が４個配設されている。弾性突起体４の配設する位置は、図１に示す枕本体１の長手方向中心の両側に線対称に離間して配設されている。また、この位置は、使用者の頸部の両側に一致するように設定されている。
【００１５】
くびれ部１ａに配設された弾性突起体４は、図３および図４に示すように、上面側には略半球状の突起部４ａが形成され、底面は平坦に形成されている。そして、底面側の周囲には、ラジアル方向に延出した肉薄の鍔部４ｂが形成されている。さらに、突起部４ａの頂部には複数状の溝４ｃが形成されている。尚、突起部４ａには、溝の他、凹所であっても良い。
【００１６】
この弾性突起体４は、主成分がシリコンからなる成形体であり、その弾力は、およそ人の親指程度になっている。また、鍔部４ｂにはミシン針を通すことができ、従って、カバー２に縫製することができる。この弾性突起体４は、底面が平坦に形成されているので、接着によって固定しても良い。なお、弾性突起体４は、主成分のシリコンに対して例えば適量のゲルマニウムのパウダーを混合しても良い。その他、シリコンに対して少量のシリカや、微量の抗菌材や香料を混合した素材を使用してもよい。
【００１７】
弾性突起体４から発生するマイナスイオンの量は、温度が摂氏２０度、湿度３０％乃至５０％の環境において測定したところ、少なくとも２５０ＮＳ／ｃｃ以上が発生している。この発生量は温度と湿度によっても発生量が多少変化し、温度と湿度が高くなるに従って発生量が増加する傾向がある。また、時間の経過によっても変化するが、これは被測定体の場所の環境変化によるものと推測される。尚、マイナスイオン発生量の測定方式は東大ＮＹ方式であり、測定機器は、神戸電波製ＫＳＴ−９００を使用した。
【００１８】
次に、本考案からなる枕本体１の使用方法とその効果について説明する。
枕本体１は、図５に示すように、使用者５の頭部から頸部のいずれかの位置にくびれ部１ａを当接すると共に、弾性突起体４を当接させる。この状態では、枕本体１が全体形状がやや扁平な略瓢箪形に構成されているので、頭部や頸部がくびれ部１ａに埋まり、枕本体１の両側の大きな胴回りの個所が頭部や頸部の横側が支えられる。そのため、使用者５の頭部が優しく包まれるように安定するので、この状態でも使用者５はリラックス感を得ることができる。
【００１９】
さらに、枕本体１のくびれ部１ａに配設した弾性突起体４も突起部４ａが、使用者の頸部両側を押圧刺激すると共に、頸部に対してマイナスイオンが照射される。この結果、使用者５が受けるリラックス感が一層高まり、脳は、α波が他のθ波やβ波よりも優勢に出現するようになる。因みに、或る男性によってモニターテストを行ったところ、図６に示す優勢脳波出現率のグラフに示すようになった。図６（Ａ）は、本考案からなる枕本体１の使用したときの優勢脳波出現率を示し、図６（Ｂ）は、従来一般の枕を使用したときの優勢脳波出現率である。これらのグラフから明らかなように、本考案の枕本体１を使用したときは、α波が４３．３％出現し、他のθ波やβ波よりも優勢に出現するようになった。一方、従来一般の枕を使用したときは、β波が４９．２％と最も多い出現率であり、リラックス感を得ることができないことが明らかになった。このテストは、生体信号処理装置（フットテクノ製ＡＬＦＡ ＭＡＳＴＥＲ）を使用した。
【００２０】
また、モニターテストとしては、多種の使用者から実際の使用感について聴取したところ、４８歳の主婦は、「最近は、なぜか疲れが取れにくく、年のせいと思っていたが、よく眠れ、目覚めがすごく良くなった。気持ちも陽気になれ毎日が楽しい。」との感想であった。３０歳のモデルは、「この枕を使用したところ熟睡できるようになった。」というように、よく眠れる、熟睡できる、など、リラックス感が得られ、α波が優勢に出現していることを裏付ける結果が得られた。
【００２１】
以上、本考案を実施例に基づき具体的に説明したが、本考案は上記実施例に限定されるものではなく、その要旨を逸脱しない範囲で種々変形可能であることは言うまでもない。前述した実施例において、くびれ部に４個の弾性突起体４を配設した例を示したが、２個又は６個に変更しても良い。また、弾性突起体４にセラミックパウダー、ブラックシリカ或いはジャモンストンの微粉体を混入して遠赤外線を発生させるようにしても良い。
【産業上の利用可能性】
【００２２】
本発明は、枕に適用可能である。
【図面の簡単な説明】
【００２３】
【図１】本考案に関わる枕の実施例を示す平面図である。
【図２】図１における枕の側断面図である。
【図３】枕に弾性突起体を縫製した状態を示す断面図である。
【図４】枕に弾性突起体を縫製した状態を示す要部平面図である。
【図５】本考案に関わる枕を使用した状態を示す説明図である。
【図６】（Ａ）（Ｂ）は、枕の種別による優勢脳波出現率を示すグラフであり、（Ａ）は本考案に関わる枕を使用したときの優勢脳波を示すグラフであり、（Ｂ）は一般の枕を使用したときの優勢脳波を示すグラフである。
【符号の説明】
【００２４】
１      枕
１ａ    くびれ部
２      カバー
３      充填材
４      弾性突起体
４ａ    突起部
４ｂ    鍔部
５      使用者
【図１】
0003148882.tif 000003
【図２】
0003148882.tif 000004
【図３】
0003148882.tif 000005
【図４】
0003148882.tif 000006
【図５】
0003148882.tif 000007
【図６】
0003148882.tif 000008